(57)【要約】【課題】係止アームを揺動させることなく、ドアをロックすることができるドアガード装置を提供すること。【解決手段】台座１を介して係止アーム２をドアＤに揺動可能に取り付けるとともに、係止アーム２をドアフレームＦの係止部材４の溝３にスライド可能に掛け止めるドアガード装置において、係止アーム２を、係止アーム２の基部が溝３の側壁をなす突片５に重なる位置まで横方向にスライド可能に設ける。【選択図】図１
2010084461.tif 000002
【特許請求の範囲】
【請求項１】
台座を介して係止アームをドアに揺動可能に取り付けるとともに、該係止アームをドアフレームの係止部材の溝にスライド可能に掛け止めるドアガード装置において、係止アームを、該係止アームの基部が溝の側壁をなす突片に重なる位置まで横方向にスライド可能に設けたことを特徴とするドアガード装置。
【請求項２】
係止部材の突片に、係止アームの揺動軸より先端側に当接し、かつ開扉時に係止アームを押圧することにより溝に案内する押圧片を設けたことを特徴とする請求項１記載のドアガード装置。
【請求項３】
係止部材を蝶番状に形成し、ドアフレームに折り畳み可能に蝶着したことを特徴とする請求項１又は２記載のドアガード装置。
【発明の詳細な説明】
【技術分野】
【０００１】
本発明は、玄関等のドアを半開きの状態でロックすることができるドアガード装置に関し、特に、係止アームを揺動させることなく、ドアをロックすることができるドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
ドアガード装置は、例えば、下記特許文献１に記載されるように、ドアの先端部の内側に、略水平に揺動可能に取り付けられたＵ字状の係止アームと、ドアフレーム側に固定され、係止アームの溝にスライド可能に掛け止められる大径頭部の係止ピンとを備えている。
そして、係止アームの溝に係止ピンを挿入した状態でドアを開くと、ドアは係止ピンが係止アームの溝を移動する範囲内でしか開くことができず、半開きの状態でロックすることができる。
【０００３】
しかし、このドアガード装置では、係止アームをＵ字状に形成するとともに、係止ピンの頭部を挿入するために、係止アームの溝を基部で部分的に広く形成する必要があることから、ロストワックス法やダイキャスト法による鋳造で係止アームを製造しなければならず、製品強度及び製造コストの点で問題があった。
【０００４】
そこで、本件出願人は、先に、新たな形状の係止アームを備えたドアガード装置を提案している（特願２００７−２４０５５１）。
このドアガード装置は、例えば、図９に示すように、ドアＤの先端部の内側に、台座１を介して略水平に揺動可能に取り付けられた係止アーム２と、ドアフレームＦ側に固定され、係止アーム２をチャネル状の溝３にスライド可能に掛け止める係止部材４とを備えている。
そして、係止アーム２を係止部材４の溝３に挿入した状態でドアＤを開くと、ドアＤは係止アーム２が係止部材４の溝３を移動する範囲内でしか開くことができず、半開きの状態でロックすることができる。
【０００５】
係止アームは、被枢着部を形成した金属材料からなる横板部材と、ドアを所定角度開いたときに係止部材が当接する屈曲部を曲げ加工により形成した金属材料からなる縦板部材とからなり、これら横板部材と縦板部材とを溶接で一体化することにより安価に製造されている。
【０００６】
しかしながら、これら従来のドアガード装置では、係止アームを係止部材に掛け止める際には係止アームを手で揺動させる必要があり、この揺動途中に突出する係止アームが体に接触したりするという問題があった。
【特許文献１】特開２００１−１４０５２６号公報
【発明の開示】
【発明が解決しようとする課題】
【０００７】
本発明は、上記のドアガード装置が有する問題点に鑑み、係止アームを揺動させることなく、ドアをロックすることができるドアガード装置を提供することを目的とする。
【課題を解決するための手段】
【０００８】
上記目的を達成するため、本発明のドアガード装置は、台座を介して係止アームをドアに揺動可能に取り付けるとともに、該係止アームをドアフレームの係止部材の溝にスライド可能に掛け止めるドアガード装置において、係止アームを、該係止アームの基部が溝の側壁をなす突片に重なる位置まで横方向にスライド可能に設けたことを特徴とする。
【０００９】
この場合において、係止部材の突片に、係止アームの揺動軸より先端側に当接し、かつ開扉時に係止アームを押圧することにより溝に案内する押圧片を設けることができる。
【００１０】
また、係止部材を蝶番状に形成し、ドアフレームに折り畳み可能に蝶着することができる。
【発明の効果】
【００１１】
本発明のドアガード装置によれば、台座を介して係止アームをドアに揺動可能に取り付けるとともに、該係止アームをドアフレームの係止部材の溝にスライド可能に掛け止めるドアガード装置において、係止アームを、該係止アームの基部が溝の側壁をなす突片に重なる位置まで横方向にスライド可能に設けることから、係止アームを突片の位置までスライド移動させると、ドアを開く際に係止アームの基部と突片とが当接することになり、これにより、係止アームを揺動させることなくドアをその位置でロックすることができる。
そして、このロックの状態から、係止アームを起こして係止部材の溝に挿入すると、通常の半開きの状態でドアをロックすることができる。
【００１２】
この場合、係止部材の突片に、係止アームの揺動軸より先端側に当接し、かつ開扉時に係止アームを押圧することにより溝に案内する押圧片を設けることにより、ドアを開くことで係止アームが自動的に係止部材の溝に掛け止められる。
【００１３】
また、係止部材を蝶番状に形成し、ドアフレームに折り畳み可能に蝶着することにより、ドアガード装置を使用しないときは係止部材を折り畳み、出入りの邪魔にならないようにするとともに、玄関の見栄えを向上させることができる。
【発明を実施するための最良の形態】
【００１４】
以下、本発明のドアガード装置の実施の形態を、図面に基づいて説明する。
【実施例１】
【００１５】
図１〜図５に、本発明のドアガード装置の第１実施例を示す。
このドアガード装置は、ドアＤの先端部内側に、台座１を介して略水平に揺動可能に取り付けられた係止アーム２と、ドアフレームＦ側に固定され、係止アーム２を縦の溝３にスライド可能に掛け止める係止部材４とを備え、ドアＤの開きを係止アーム２が係止部材４の溝３を移動する範囲内に留めることにより、ドアＤを半開きの状態でロックするようにしている（例えば、図９参照）。
そして、このドアガード装置は、係止アーム２を、該係止アーム２の基部が溝３の側壁をなす突片５に重なる位置まで横方向にスライド可能に設けている。
【００１６】
係止アーム２は、図２に示すように、台座１への被枢着部２１を形成した金属材料からなる横板部材２２と、ドアＤを所定角度開いたときに係止部材４が当接する屈曲部２３を曲げ加工により形成した金属材料からなる縦板部材２４とからなり、これら横板部材２２と縦板部材２４とを断面Ｌ字状に折曲することにより形成されている。
係止アーム２は、ドアＤを閉めた状態で、ドアＤの内面に沿う収納位置から約９０°起こすことにより、その基部が係止部材４の溝３に挿入され、先端の屈曲部２３で溝３内のスライド移動が阻止される。
【００１７】
また、係止アーム２は、図１〜図３に示すように、該係止アーム２の被枢着部２１を揺動可能に支持する揺動支持部材６が、台座１に対して横方向に移動可能に取り付けられており、これにより、係止アーム２の基部が溝３の側壁をなす突片５に重なる位置まで横方向にスライドするようになっている。
揺動支持部材６はラッチ機構６１を有し、図１（ａ）に示すスライド前の原点位置と、スライドにより係止アーム２が突片５に重なるスライド位置（図１（ｂ））とに、選択的に係止することができる。
係止アーム２は、スライド位置で、揺動軸６２付近か揺動軸６２より基部側が係止部材４の突片５に摺接するようになっており、これにより、ドアＤを開く際に係止アーム２の基部と突片５とが当接することになり、ドアＤをその位置でロックすることができる。
【００１８】
そして、このロックの状態から係止アーム２を起こすと、図１（ｃ）に示すように、係止アーム２は突片５に案内されるように係止部材４の溝３に挿入され、通常の半開きの状態でドアＤをロックするドアガード装置として使用することができる。
なお、係止アーム２の揺動半径や係止部材４の溝位置との取り合いにより、本実施例では、係止アーム２が溝３に挿入されると、揺動支持部材６は、溝３内を摺動する係止アーム２に押されて原点位置に復帰する。
【００１９】
一方、係止部材４は、図４〜図５に示すように、その溝３の側壁をなす突片５が係止部材本体４１から着脱可能に設けられている。
突片５は、図示省略するマグネットキーで解錠して取り外すことができ、これにより、ドアガード装置で半開きの状態でドアＤをロックしていても、マグネットキーを持つ人は室外から突片５を取り外して中に入ることができる。
【００２０】
また、係止部材４は、図５に示すように、溝の突片５を左右いずれかに偏心して設けるとともに、この偏心した突片５の斜め上に、上下にスライドするロック片４２を設けている。
このロック片４２は、ドアＤを半開きにし、溝３に挿入された係止アーム２の屈曲部２３が突片５に当接する位置まできたときに、ロック片４２を降ろし、突片５との間で係止アーム２の屈曲部２３を挟むことにより、屈曲部２３を固定し、ドアＤを半開きの状態で固定することができる。
なお、ロック片４２は、係止部材本体４１にねじ止めされた固定片４３により、上下にスライド可能に支持されている。
【００２１】
次に、本実施例のドアガード装置の作用を説明する。
ドアガード装置を使用するときは、係止アーム２を、図１（ａ）に示す位置から図１（ｂ）に示す位置まで移動させると、係止アーム２の基部の内側に係止部材４の突片５が入り、ドアＤを開こうとしても係止アーム２の基部と突片５とが当接することになり、これにより、ドアＤをその位置でロックすることができる。
そして、このロックの状態から、図１（ｃ）に示すように、係止アーム２を起こして係止部材４の溝３に挿入すると、通常の半開きの状態でドアＤをロックすることができる。
【実施例２】
【００２２】
図６〜図８に、本発明のドアガード装置の第２実施例を示す。
このドアガード装置は、ドアＤの先端部内側に、台座１を介して略水平に揺動可能に取り付けられた係止アーム２と、ドアフレームＦ側に固定され、係止アーム２を縦の溝３にスライド可能に掛け止める係止部材４とを備え、ドアＤの開きを係止アーム２が係止部材４の溝３を移動する範囲内に留めることにより、ドアＤを半開きの状態でロックするようにしている（例えば、図９参照）。
そして、このドアガード装置は、係止アーム２を、該係止アーム２の基部が溝３の側壁をなす突片５に重なる位置まで横方向にスライド可能に設けるとともに、係止部材４の突片５に、係止アーム２の揺動軸６２より先端側に当接し、かつ開扉時に係止アーム２を押圧することにより溝３に案内する押圧片５１を設けている。
【００２３】
係止アーム２は、第１実施例と同じものであり、図２〜図３に示すように、該係止アーム２の被枢着部２１を揺動可能に支持する揺動支持部材６が、台座１に対して横方向に移動可能に設けられている。
揺動支持部材６はラッチ機構６１を有し、図７（ａ）に示すスライド前の原点位置と、スライドにより係止アーム２が突片５に重なるスライド位置（図７（ｂ））とに、選択的に係止することができる。
係止アーム２は、スライド位置で、揺動軸６２より先端側が係止部材４の押圧片５１と重なるようになっており、これにより、図７（ｃ）に示すように、ドアＤを開くことで係止アーム２が自動的に係止部材４の溝３に掛け止められる。
なお、係止アーム２の揺動半径や係止部材４の溝位置との取り合いにより、本実施例では、係止アーム２が溝３に挿入されると、揺動支持部材６は、溝３内を摺動する係止アーム２に押されて原点位置に復帰する。
【００２４】
一方、係止部材４は蝶番状をなし、図６〜図８に示すように、一方のプレート４ａをドアフレームＦへの取付部とするとともに、もう一方のプレート４ｂに、係止アーム２をスライド可能に掛け止める溝３を設け、ドアフレームＦに折り畳み可能に蝶着している。
この蝶番状の係止部材４は、直角に開いた位置と、平行に閉じた位置とでそれぞれ係止されるようにラッチ機構４４を備えている。
また、溝側のプレート４ｂが直角より広い角度で開かないように、該プレート４ｂを後方から支持するサポート板４５が、取付部側のプレート４ａと共に固定されている。
また、押圧片５１は、係止部材４の突片５の先端を、係止アーム２の内側に向けて折曲し突設したものからなり、平面視で、突片５の外側部分が直角で内側部分が斜辺となる直角三角形に形成されている。
【００２５】
次に、本実施例のドアガード装置の作用を説明する。
ドアガード装置を使用しないときは、図７（ｄ）に示すように、蝶番状の係止部材４は、邪魔にならない折り畳まれた状態であり、また、係止アーム２はスライド前の原点位置にある。
ドアガード装置を使用するときは、図７（ａ）に示すように、まず、係止部材４の一方のプレート４ｂを約９０度起こし、次いで、係止アーム２を、図７（ａ）に示す原点位置から図７（ｂ）に示すスライド位置まで移動させる。
この状態で、係止部材４の押圧片５１は、係止アーム２の揺動軸６２より先端側に当接しうる位置にあり、この状態からドアＤを開くと、図７（ｃ）に示すように、押圧片５１が係止アーム２を押圧して起こし揺動させる。
そして、さらにドアＤを開くことで、係止アーム２は自動的に係止部材４の溝３に掛け止められ、これにより、通常の半開きの状態でドアＤをロックすることができる。
なお、係止アーム２のスライド移動を原点位置とスライド位置の中間で止め、押圧片５１の先端を係止アーム２の揺動軸６２付近か揺動軸６２より基部側に当接させることにより、第１実施例のようにドアＤをその位置でロックすることもできる。
【００２６】
以上、本発明のドアガード装置について、その実施例に基づいて説明したが、本発明は上記実施例に記載した構成に限定されるものではなく、その趣旨を逸脱しない範囲において適宜その構成を変更することができる。
【産業上の利用可能性】
【００２７】
本発明のドアガード装置は、係止アームを揺動させることなく、ドアをロックすることができるという特性を有していることから、簡易にドアをロックできるドアガード装置として広く好適に用いることができる。
【図面の簡単な説明】
【００２８】
【図１】本発明のドアガード装置の第１実施例を示し、（ａ）は係止アームが原点位置にある状態を示す正面図、（ｂ）は係止アームがスライド位置にある状態を示す正面図、（ｃ）は係止アームを揺動させて溝に挿入した状態を示す正面図である。
【図２】同実施例の係止アームを示し、（ａ）はその正面図、（ｂ）は同底面図、（ｃ）は揺動した状態の底面図、（ｄ）は台座の底面図、（ｅ）は同側面図である。
【図３】（ａ）は揺動支持部材の５面図、（ｂ）は台座の６面図である。
【図４】係止部材を示し、（ａ）は突片の３面図、（ｂ）は係止部材本体の４面図である。
【図５】係止部材を示し、（ａ）はロック片を下げた状態を示す正面図、（ｂ）はロック片を上げた状態を示す正面図、（ｃ）は固定片の５面図、（ｄ）はロック片の３面図である。
【図６】本発明のドアガード装置の第２実施例を示す斜視図である。
【図７】同ドアガード装置を示し、（ａ）は係止アームが原点位置にある状態を示す斜視図、（ｂ）は係止アームがスライド位置にある状態を示す斜視図、（ｃ）は係止アームが揺動して溝に挿入した状態を示す斜視図、（ｄ）は蝶番状の係止部材を折り畳んだ状態を示す斜視図である。
【図８】係止部材を示し、（ａ）は１８０度展開した平面図、（ｂ）は同正面図、（ｃ）は同底面図、（ｄ）は平行に折り畳んだ底面図、（ｅ）は直角に起こした底面図である。
【図９】ドアガード装置の取付状態を示し、（ａ）は係止アームと係止部材を示す正面図、（ｂ）は係止アームを係止部材に掛止した状態を示す平面図、（ｃ）は係止アームを係止部材に掛止した状態でドアを開いた平面図、（ｄ）はドアガード装置を解錠して係止アームを係止部材から抜いた状態を示す平面図である。
【符号の説明】
【００２９】
１    台座
２    係止アーム
２１  被枢着部
２２  横板部材
２３  屈曲部
２４  縦板部材
３    溝
４    係止部材
４１  係止部材本体
４２  ロック片
４３  固定片
４４  ラッチ機構
４５  サポート板
５    突片
５１  押圧片
６    揺動支持部材
６１  ラッチ機構
６２  揺動軸
【図１】
2010084461.tif 000003
【図２】
2010084461.tif 000004
【図３】
2010084461.tif 000005
【図４】
2010084461.tif 000006
【図５】
2010084461.tif 000007
【図６】
2010084461.tif 000008
【図７】
2010084461.tif 000009
【図８】
2010084461.tif 000010
【図９】
2010084461.tif 000011